(57)【要約】【課題】  一枚のスーツ袋で二枚のスーツが収納可能なスーツ袋を提供すること。【解決手段】  ハンガーに掛けたスーツ上下が収まる大きさの縦長の袋外地と、袋外地の縦方向の一端側の部分の上に重ねられ、袋外地の周縁とこれに対応する布部分とが縫着されてなる第一のスーツカバー布と、袋外地の一端側と反対の他端側の部分の上に重ねられ、袋外地の周縁とこれに対応する布部分とが縫着されてなる第二のスーツカバー布と、 袋外地の一端において袋外地と第一のスーツカバー布とで、また袋外地の他端において袋外地と第二のスーツカバー布とで夫々形成されたハンガーフック挿し穴とを備え、そして  袋外地の一端側の周縁に及び他端側の周縁にそれぞれ取り付けた互いに係合する一対のファスナーエレメントと、一対のファスナーエレメントの開閉をなすスライダーとからなるファスナー手段とを備えてなることを特徴とする、スーツ二着収納袋。【選択図】図１
2011093550.tif 000002
【特許請求の範囲】
【請求項１】
ハンガーにかけたスーツ上下を二つ折りの状態にて持ち運ぶためのスーツ袋において、ハンガーに掛けたスーツ上下が収まる大きさの縦長の袋外地と、
該袋外地の縦方向の一端側の部分の上に重ねられ、袋外地の周縁とこれに対応する布部分とが縫着されてなる第一のスーツカバー布と、前記袋外地の該一端側と反対の他端側の部分の上に重ねられ、袋外地の周縁とこれに対応する布部分とが縫着されてなる第二のスーツカバー布と、
該袋外地の一端において袋外地と該第一のスーツカバー布とで、また該袋外地の他端において袋外地と第二のスーツカバー布とで夫々形成されたハンガーフック挿し穴とを備え、そして
該袋外地の一端側の周縁に及び他端側の周縁にそれぞれ取り付けた互いに係合する一対のファスナーエレメントと、該一対のファスナーエレメントの開閉をなすスライダーとからなるファスナー手段とを備えてなることを特徴とする、スーツ二着収納袋。
【発明の詳細な説明】
【技術分野】
【０００１】
本発明はスーツを収納し、そして携行することができるスーツ収納袋に関する。
【背景技術】
【０００２】
スーツをハンガーにかけたまま携行することができるスーツ収納袋は従来より利用されている。この種のスーツ収納袋は、例えば図５に示すように、略長楕円形の二枚重ねの樹脂製表生地２１ａ及び裏生地２１ｂからなり、それらの周縁は縫い糸３で縫合され、また表生地２１ａはスーツを出し入れ可能とするべく、長さ方向に二つに分かれ、その合わせ部に取り付けたファスナー２４又はスナップ等により開閉可能となっている。また、袋上下の両端側にハンガーフックを通す通し穴２３ａ及び２３ｂが設けられ、さらに袋の下部には覆いカバー２２が取り付けられている。而して、スーツをハンガーにかけ、それを袋内に収納し、ハンガーフックを袋上側の通し穴２３ａに通し、そしてスーツが収納された袋を横二つ折りにし、続いて、袋上部をカバー布２２で被せるとともに、ハンガーフックを袋下側の通し穴２３ｂに通すことにより、スーツをハンガーにかけたまま持ち運ぶことが可能となる（特許文献１参照）。
【先行技術文献】
【特許文献】
【０００３】
特開２００１−６３７８５号公報
【発明の概要】
【発明が解決しようとする課題】
【０００４】
ところで、近年、衣料品店において、スーツを二着まとめて購入すると二着目の値段が大幅に値下げされ、ほぼ一着分の値段で二着のスーツを購入できるというセールがしばしば行われている。当然、このセール期間中は、スーツを一度に二着購入する客が多くなるが、従来のスーツ袋では二着のスーツを一着ずつスーツ袋に収納せねばならず、店員にとって手間のかかるものであり、また購入者もスーツの入った二つの袋を店から家まで持ち運ぶことになるため不便なものであった。
本発明はこのような従来の事情を鑑みてなされたものであって、一枚の袋に二着のスーツを収納しても、二つ折りの状態を保持して持ち運びが可能となり、その上スーツ袋側面から袋内部のスーツが見えることや、外部から汚れが付着することを防ぐことができるスーツ収納袋を提供することを課題とする。
【課題を解決するための手段】
【０００５】
本発明は、この課題を解決するべくなされたものであって、
ハンガーにかけたスーツ上下を二つ折りの状態にて持ち運ぶためのスーツ袋において、
ハンガーに掛けたスーツ上下が収まる大きさの縦長の袋外地と、
該袋外地の縦方向の一端側の部分の上に重ねられ、袋外地の周縁とこれに対応する布部分とが縫着されてなる第一のスーツカバー布と、前記袋外地の該一端側と反対の他端側の部分の上に重ねられ、袋外地の周縁とこれに対応する布部分とが縫着されてなる第二のスーツカバー布と、
該袋外地の一端において袋外地と該第一のスーツカバー布とで、また該袋外地の他端において袋外地と第二のスーツカバー布とで夫々形成されたハンガーフック挿し穴とを備え、そして
該袋外地の一端側の周縁に及び他端側の周縁にそれぞれ取り付けた互いに係合する一対のファスナーエレメントと、該一対のファスナーエレメントの開閉をなすスライダーとからなるファスナー手段とを備えてなることを特徴とする、スーツ二着収納袋に関する。
【発明の効果】
【０００６】
本発明のスーツ二着収納袋は、一枚で二着分のスーツを収納して持ち運び可能であり、しかも、その際二着のスーツは二つ折り状態が保持され、またスーツ二着収納袋の側面から袋内部のスーツが見えることや、外部から汚れが付着することをも防ぐことができる。
【図面の簡単な説明】
【０００７】
【図１】本発明のスーツ二着収納袋を示す正面図である。
【図２】本発明のスーツ二着収納袋を示す背面図である。
【図３】（Ａ）乃至（Ｄ）はハンガーに掛けた二着のスーツ上下をスーツ二着収納袋に収納する一連の過程を示す図である。
【図４】スーツ二着収納袋に二着のスーツ上下を収納した状態を示す斜視図である。
【図５】従来のスーツ収納袋を示す正面図である。
【発明を実施するための形態】
【０００８】
以下、図面を参照しながら本発明をさらに説明する。
（スーツ二着収納袋１の構成）
図１は、本発明の一態様であるスーツ二着収納袋１の正面図であり、図２はスーツ二着収納袋１の背面図である。
スーツ二着収納袋１の材質は、合成樹脂シートまたはそれらの不織布である。
袋外地１１はハンガーに掛けたスーツ上下が収まる大きさ（例えば、長さ方向およそ９０ｃｍ；幅方向およそ６０ｃｍ）の縦長の生地である。
第一のスーツカバー布２ａは、袋外地１１の縦方向の一端側の部分の上に重ねられたカバー布であって、袋外地の周縁とこれに対応するカバー布の部分とが縫着されている。
第二のスーツカバー布２ｂは袋外地１１の第一のスーツカバー布２ａと反対の他端側の部分の上に重ねられたカバー布であって、袋外地の周縁とこれに対応するカバー布の部分とが縫着されている。
またハンガーフック通し穴５ａ及び５ｂは、袋外地１１の一端において袋外地１１と第一のスーツカバー布２ａとで、また袋外地１１の他端において袋外地１１と第二のスーツカバー布２ｂとで夫々形成されている。
ハンガーフック通し穴５ａと、スーツカバー布２ａの差込口縁４ａの中央との距離、及びハンガーフック通し穴５ｂと、スーツカバー布２ｂの差込口縁４ｂの中央との距離は、それぞれ好ましくはおよそ２０ｃｍである。
また、本発明のスーツ二着収納袋１は、該袋外地１１の一端側の周縁に及び他端側の周縁にそれぞれ取り付けた互いに係合する一対のファスナーエレメント９と、該一対のファスナーエレメントの開閉をなすスライダー１０とからなるファスナー手段１４とを備えている。
（スーツの収納）
まず、一着目のスーツ上下６ａをハンガー７に吊るす。次に、ハンガーフック８及びスーツ上部を差込口縁４ａから第一のスーツカバー布２ａと袋外地１１との間に差し入れ、ハンガーフック８をハンガーフック通し穴５ａに通し、スーツ上下６ａの下部を差込口縁４ｂから、第二のスーツカバー布２ｂと袋外地１１との間に差し入れる（図３（Ａ））。
次に、二着目のスーツ上下６ｂをハンガー７に吊るす。次に、ハンガーフック８及びスーツ上部を差込口縁４ｂから第二のスーツカバー布２ｂと既に収納されている一着目のスーツ上下６ａとの間に差し入れ、ハンガーフック８をハンガーフック通し穴５ｂに通し（図３（Ｂ））、二着目のスーツ上下６ｂの下部を差込口縁４ａから第一のスーツカバー布２ａと一着目のスーツ上下６ａとの間に差し入れる（図３（Ｃ））。
次に、中央でスーツ二着収納袋１を矢印１２の方向に横二つ折りにし、ファスナーのスライダー１０を矢印１３に示す方向に移動し、袋外地１１の一端側の周縁に及び他端側の周縁にそれぞれ取り付けた一対のファスナーエレメント９を互いに係合する（図３（Ｄ）
）。
二着のスーツ６ａ、６ｂを本発明のスーツ二着収納袋１に収納した状態を図４に示す。
【０００９】
本発明のスーツ二着収納袋１は、一枚で二着分のスーツを収納して持ち運び可能であり、しかも、その際二着のスーツは二つ折り状態が保持され、またスーツ二着収納袋１側面から袋内部のスーツが見えることや、外部から汚れが付着することをも防ぐことができる。
【００１０】
また、本発明のスーツ二着収納袋１は、スーツの包装のみに限定されず、ジャケット、シャツ又は制服などの衣類の包装に適用できる。
【符号の説明】
【００１１】
１                  スーツ二着収納袋
２ａ、２ｂ          カバー布
３                  縫い糸
４ａ、４ｂ          差込口縁
５ａ、５ｂ          ハンガーフック通し穴
６ａ、６ｂ          スーツ上下
７                  ハンガー
８                  ハンガーフック
９                  ファスナーエレメント
１０                スライダー
１１                袋外地
１４                ファスナー手段
【図１】
2011093550.tif 000003
【図２】
2011093550.tif 000004
【図３】
2011093550.tif 000005
【図４】
2011093550.tif 000006
【図５】
2011093550.tif 000007